(57)【要約】 【課題】カメラの撮像位置の好適化を図ることができる電子機器を提供する。【解決手段】一つの実施形態に係る電子機器は、表示画面を有した表示装置と、前記表示装置が収容され、前記表示画面が露出された面を有した筐体と、前記筐体の端部に設けられ、前記筐体の外部に露出されたコネクタと、前記筐体に収容され、前記筐体の前記表示画面が露出された面から撮像するとともに、前記筐体の中央部に対して前記コネクタが設けられた端部とは反対側に偏心して位置されたカメラとを備える。【選択図】図１
2012138714.tif 000002
【特許請求の範囲】
【請求項１】
表示画面を有した表示装置と、
前記表示装置が収容され、前記表示画面が露出された第１の面と、この第１の面とは反対側に位置された第２の面と、ドックに着脱自在に保持される第１の端部と、この第１の端部とは反対側に位置された第２の端部とを有した筐体と、
前記筐体の第１の端部に設けられたドッキングコネクタと、
前記筐体に収容され、前記第１の面から撮像する第１のカメラと、
前記第１のカメラが実装された回路基板と、
前記筐体に収容され、前記第２の面から撮像する第２のカメラと、
を備え、
前記回路基板及び前記第２のカメラは、前記筐体の前記第１の端部と前記第２の端部との間の略中央部に配置され、前記第１のカメラは、前記回路基板のなかで、前記筐体の前記第１の端部と前記第２の端部との間の中央部に対して前記第２の端部側に偏心して配置された電子機器。
【請求項２】
請求項１の記載において、
前記回路基板に実装され、前記第１の面から拾音するマイクを備え、
前記マイクは、前記回路基板のなかで、前記筐体の前記第１の端部と前記第２の端部との間の中央部に対して前記第１の端部側に偏心して配置された電子機器。
【請求項３】
請求項１または請求項２の記載において、
前記第２のカメラは、フレキシブルプリント回路板で前記回路基板に接続された電子機器。
【請求項４】
請求項１または請求項３の記載において、
前記第２の面は、前記第１の面に比べて小さく、前記筐体は、前記第１の面の周縁部と前記第２の面の周縁部との間を繋ぐ曲面状の第３の面を有し、
前記第１のカメラは、前記第１の面と前記第３の面との間に配置され、前記第２のカメラは、前記第３の面を避けて、前記第１の面と前記第２の面との間に配置された電子機器。
【請求項５】
請求項４の記載において、
前記第２のカメラは、前記第１のカメラよりも大型である電子機器。
【請求項６】
請求項１または請求項５の記載において、
前記筐体は、前記第１の端部とは交差する方向に延びて、前記第１の端部と前記第２の端部との間を繋ぐ第３の端部を有し、前記第１のカメラ、前記回路基板、及び前記第２のカメラは、前記第３の端部に収容された電子機器。
【請求項７】
請求項６の記載において、
前記筐体に収容された複数のコネクタを備え、
前記筐体は、前記第３の端部とは反対側に位置された第４の端部を有し、前記複数のコネクタは、前記第４の端部に収容された電子機器。
【請求項８】
請求項６または請求項７の記載において、
前記第２の端部に収容された複数のアンテナを備え、
前記第２の端部は、前記筐体が前記ドックに保持されたとき、前記筐体の上端部となる電子機器。
【請求項９】
請求項６または請求項８の記載において、
前記第１の端部及び前記第２の端部は、前記筐体の長手方向に延びた端部であり、この第１の端部及び前記第２の端部が略水平になる姿勢で前記筐体は前記ドックに保持される電子機器。
【請求項１０】
表示画面を有した表示装置と、
前記表示装置が収容され、前記表示画面が露出された面を有した筐体と、
前記筐体の端部に設けられ、前記筐体の外部に露出されたコネクタと、
前記筐体に収容され、前記筐体の前記表示画面が露出された面から撮像するとともに、前記筐体の中央部に対して前記コネクタが設けられた端部とは反対側に偏心して位置されたカメラと、
を備えた電子機器。
【発明の詳細な説明】
【技術分野】
【０００１】
本発明の実施形態は、カメラを備えた電子機器に関する。
【背景技術】
【０００２】
電子機器のなかには、カメラを備えたものがある。
【先行技術文献】
【特許文献】
【０００３】
【特許文献１】特開２００６−２７９７９６号公報
【発明の概要】
【発明が解決しようとする課題】
【０００４】
電子機器は、カメラの撮像位置の好適化が期待される。
【０００５】
本発明の目的は、カメラの撮像位置の好適化を図ることができる電子機器を提供することである。
【課題を解決するための手段】
【０００６】
実施形態によれば、電子機器は、表示画面を有した表示装置と、前記表示装置が収容され、前記表示画面が露出された面を有した筐体と、前記筐体の端部に設けられ、前記筐体の外部に露出されたコネクタと、前記筐体に収容され、前記筐体の前記表示画面が露出された面から撮像するとともに、前記筐体の中央部に対して前記コネクタが設けられた端部とは反対側に偏心して位置されたカメラとを備える。
【図面の簡単な説明】
【０００７】
【図１】第１実施形態の電子機器を示す斜視図。
【図２】図１中に示された電子機器を示す図。
【図３】図１中に示された電子機器の内部を示す平面図。
【図４】図１中に示された電子機器の内部を示す背面図。
【図５】図３中に示されたカメラモジュールの正面図。
【図６】図３中に示されたカメラモジュールの平面図。
【図７】図３中に示されたカメラモジュールの背面図。
【図８】図２中に示された電子機器のＡ−Ａ線に沿う断面図。
【図９】図２中に示された電子機器のＡ−Ａ線に沿う断面図。
【図１０】第２実施形態の電子機器の内部を示す平面図。
【図１１】図１０中に示された電子機器のＢ−Ｂ線に沿う断面図。
【発明を実施するための形態】
【０００８】
以下、実施の形態について、図面を参照して説明する。
【０００９】
（第１実施形態）  
図１乃至図９は、第１実施形態に係る電子機器１を開示している。電子機器１は、携帯型の電子機器であり、例えばスレートタイプのＰＣ(Slate Portable Computer)である。電子機器１は、例えばユーザーが手に持った状態で使用可能である。
【００１０】
なお本実施形態が適用可能な電子機器は、上記に限定されるものではない。本実施形態は、ノートブック型パーソナルコンピュータや、携帯電話、スマートフォン、ＰＤＡ(Personal Digital Assistant)、ゲーム機などを含む種々の電子機器に広く適用可能である。
【００１１】
図１に示すように、電子機器１は、ドック２に着脱自在に保持される。ドック２は、本体部３と、保持部４とを有する。本体部３は、例えば外部接続端子を有し、電子機器１に電源を供給する電源部を有する。保持部４は、本体部３の上面に設けられ、電子機器１を保持する。電子機器１は、例えば傾斜させられた姿勢で保持される。
【００１２】
図２は、電子機器１の６面図を示す。図２（ａ）は、電子機器１の正面図である。図２（ｂ）は、電子機器１の上面図である。図２（ｃ）は、電子機器１の下面図である。図２（ｄ）は、電子機器１の左側面図である。図２（ｅ）は、電子機器１の右側面図である。図２（ｆ）は、電子機器１の背面図である。
【００１３】
なお本明細書では、筐体５がドック２に保持された姿勢を基準に上下を定義している。またユーザーから見て左右を定義している。さらにユーザーに近い方を「前」、ユーザーから遠い方を「後」と定義している。
【００１４】
図１及び図２に示すように、電子機器１は、筐体５を有する。筐体５は、角部に丸みを有した扁平な矩形状に形成されている。筐体５は、第１乃至第４の端部１１，１２，１３，１４を有する。
【００１５】
第１の端部１１は、ドック２の保持部４に着脱自在に保持される端部である。第２の端部１２は、第１の端部１１とは反対側に位置され、第１の端部１１と略平行に延びている。第３の端部１３は、第１の端部１１に対して交差する方向、例えば略直交する方向に延びている。第４の端部１４は、第３の端部１３とは反対側に位置され、第３の端部１３とは略平行に延びている。第３の端部１３及び第４の端部１４は、それぞれ第１の端部１１と第２の端部１２との間を繋いでいる。
【００１６】
第１の端部１１及び第２の端部１２は、筐体５の長手方向に延びた端部である。第３の端部１３及び第４の端部１４は、筐体５の短手方向に延びた端部であり、第１の端部１１及び第２の端部１２よりも短い。
【００１７】
図１に示すように、筐体５がドック２に保持されたとき、第１の端部１１、第２の端部１２、第３の端部１３、第４の端部１４は、それぞれ筐体５の下端部、上端部、左端部、右端部となる。筐体５がドック２に保持されたとき、第１の端部１１及び第２の端部１２は、略水平になる。第３の端部１３及び第４の端部１４は、机上面Ｓに対して起立した状態になる。
【００１８】
図１及び図２に示すように、筐体５は、フロント面１６、バック面１７、及び周面１８を有する。筐体５には、表示装置２１が収容されている。表示装置２１は、画像や映像が表示される表示画面２１ａを有する。なお表示画面２１ａは、タッチパネルが設けられて、入力機能を有してもよい。筐体５のフロント面１６は、開口部１６ａが設けられ、この開口部１６ａを通じて表示画面２１ａが露出されている。
【００１９】
バック面１７は、フロント面１６とは反対側に位置される。バック面１７は、フロント面１６よりも一回り小さい。周面１８は、フロント面１６の周縁部とバック面１７の周縁部との間を繋ぐ曲面状に形成されている。フロント面１６は、「第１の面」の一例である。バック面１７は、「第２の面」の一例である。周面１８は、「第３の面」の一例である。
【００２０】
図３及び図４は、筐体５の内部の部品配置を示す。図３及び図４に示すように、筐体５には、メイン回路基板２２、バッテリ２３、ドッキングコネクタ２４、バイブレーションモジュール２５、スイッチモジュール２６、スロット２７、カメラモジュール２８、マイク２９、ＬＥＤ３０、複数のアンテナ３１，３２，３３，３４，４５、及び複数のコネクタ３６，３７，３８，３９，４０が収容されている。
【００２１】
メイン回路基板２２は、筐体５内で第４の端部１４寄りの領域に配置されている。メイン回路基板２２は、ＣＰＵ(Central Processing Unit)やその他の電子部品が実装されている。バッテリ２３は、筐体５内で第３の端部１３寄りの領域に配置されている。
【００２２】
筐体５の第１の端部１１には、ドッキングコネクタ２４と、バイブレーションモジュール２５とが収容されている。筐体５は、ドッキングコネクタ２４に対応した開口部１８ａを周面１８に有する。ドッキングコネクタ２４は、開口部１８ａを通じて筐体５の外部に露出されている。
【００２３】
ドッキングコネクタ２４は、ドック２のコネクタに接続される。なおドッキングコネクタ２４は、「コネクタ」の一例である。第１の端部１１に設けられるコネクタは、ドッキングコネクタに限らず、他のコネクタであってもよい。バイブレーションモジュール２５は、所定時に電子機器１を振動させる。
【００２４】
筐体５の第２の端部１２には、スイッチモジュール２６と、３つのアンテナ３１，３２，３３と、１つのスロット２７が収容されている。スイッチモジュール２６は、回路基板と、この回路基板に実装された複数のスイッチとを有する。筐体５の周面１８には、スイッチモジュール２６に対応した複数のボタン４１が設けられている。このボタン４１が押されることで、電子機器１は種々の入力を受け付ける。
【００２５】
アンテナ３１は、Ｗ−ＬＡＮ用である。アンテナ３２は、３Ｇ（第３世代移動通信方式）用である。アンテナ３３は、Ｂｌｕｅｔｏｏｔｈ（登録商標）用である。スロット２７は、ＳＤカード（登録商標）用である。
【００２６】
筐体５の第３の端部１３には、カメラモジュール２８と、２つのアンテナ３４，３５が収容されている。アンテナ３４は、３Ｇ用である。アンテナ３５は、ＧＰＳ用である。カメラモジュール２８は、２つのアンテナ３４，３５の間に配置され、筐体５の短手方向の略中央部に配置されている。なおカメラモジュール２８の詳細については後述する。
【００２７】
筐体５の第４の端部１４には、５つのコネクタ３６，３７，３８，３９，４０が収容されている。コネクタ３６は、ＭｉｎｉＵＳＢ用のコネクタである。コネクタ３７は、ＨＤＭＩ(High-Definition Multimedia Interface)用である。コネクタ３８は、ＵＳＢ用である。コネクタ３９は、オーディオ用である。コネクタ４０は、電源用である。これらコネクタ３６，３７，３８，３９，４０及びスロット２７は、メイン回路基板２２に実装されている。図２に示すように、第４の端部１４のフロント面１６には、電子機器１を操作するための複数のボタン４２が設けられている。
【００２８】
次に、カメラモジュール２８について詳しく説明する。  
図５乃至図７に示すように、カメラモジュール２８は、回路基板５０（カメラ基板）、第１のカメラ５１、第１のコネクタ５２、第２のコネクタ５３、第２のカメラ５４、及びフレキシブルプリント回路板５５を有する。回路基板５０は、第１の面５０ａと、この第１の面５０ａとは反対側に位置された第２の面５０ｂとを有する。第１の面５０ａは、筐体５のフロント面１６の内面に向かい合う。第１の面５０ａには、第１のカメラ５１と、マイク２９と、ＬＥＤ３０とが実装されている。
【００２９】
第２の面５０ｂには、第１のコネクタ５２と、第２のコネクタ５３とが実装されている。第１のコネクタ５２には、回路基板５０をメイン回路基板２２に接続するフレキシブルプリント回路板が接続される。
【００３０】
第２のカメラ５４は、回路基板５０には直接実装されておらず、回路基板５０から離れている。第２のカメラ５４は、フレキシブルプリント回路板５５によって回路基板５０の第２のコネクタ５３に接続されている。これにより、１つの回路基板５０によって２つのカメラ５１，５４が制御される。なお第２の面５０ｂには、第１のコネクタ５２及び第２のコネクタ５３よりも背が高い電子部品は実装されていない。
【００３１】
図１乃至図４に示すように、筐体５のフロント面１６には、第１の撮影孔６１、拾音孔６２、及び表示孔６３が設けられている。第１の撮影孔６１は、第１のカメラ５１に対応して設けられている。第１のカメラ５１は、第１の撮影孔６１に対向し、第１の撮影孔６１を通じてフロント面１６から撮像する。拾音孔６２は、マイク２９に対応して設けられている。マイク２９は、拾音孔６２に対向し、拾音孔６２を通じてフロント面１６から拾音する。表示孔６３は、ＬＥＤ３０に対応して設けられている。ＬＥＤ３０は、表示孔６３に対向し、表示孔６３を通じてフロント面１６に露出されている。
【００３２】
第１のカメラ５１及びマイク２９は、ユーザーに向かい合い、表示画面２１ａに向かい合うユーザーの映像や音声を収集することができる。第１のカメラ５１及びマイク２９は、例えばＳｋｙｐｅ（登録商標）のビデオ通話（テレビ電話）のための映像や音声を収集する。なお第１のカメラ５１は上記目的のものに限らず、例えば電子機器１のログイン時にユーザーの顔認証を行うためにユーザーの顔を撮影するものでもよく、その他の用途に用いられるものでもよい。ＬＥＤ３０は、所定の色に点灯や点滅することで、第１のカメラ５１が動作していることをユーザーに知らせる。
【００３３】
筐体５のバック面１７には、第２の撮影孔６４が設けられている。第２の撮影孔６４は、第２のカメラ５４に対応して設けられている。第２のカメラ５４は、第２の撮影孔６４に対向し、第２の撮影孔６４を通じてバック面１７から撮像する。第２のカメラ５４は、第１のカメラ５１に比べて解像度が高く、大型である。第２のカメラ５４は、例えば５メガピクセルの解像度を有する。第１のカメラ５１は、例えば２メガピクセルの解像度である。第２のカメラ５４は、例えば第１のカメラ５１に比べて鮮明な画像や映像を撮影する用途に用いることができる。なお第１のカメラ５１及び第２のカメラ５４の機能は上記に限定されるものではない。
【００３４】
図３及び図４に示すように、カメラモジュール２８の回路基板５０及び第２のカメラ５４は、筐体５の第１の端部１１と第２の端部１２との間の略中央部に配置されている。すなわち、カメラモジュール２８の回路基板５０及び第２のカメラ５４は、筐体５がドック２に保持されたとき、筐体５の上下方向の略中央部に配置されている。なお「略中央部に配置されている」とは、例えば筐体５を平面視したときに、例えば第１の端部１１と第２の端部１２との間を横切る中心線ＣＬに、回路基板５０の一部及び第２のカメラ５４の一部が重なることをいう。
【００３５】
一方で、第１のカメラ５１、マイク２９、及びＬＥＤ３０は、筐体５の第１の端部１１と第２の端部１２との間の中央部から偏心して位置されている。なお「中央部から偏心して位置されている」とは、例えば筐体５を平面視したときに、例えば第１の端部１１と第２の端部１２との間を横切る中心線ＣＬに、第１のカメラ５１、マイク２９、及びＬＥＤ３０が重ならないことをいう。
【００３６】
第１のカメラ５１は、筐体５の中央部に対してドッキングコネクタ２４が設けられた第１の端部１１とは反対側に偏心して位置される。詳しく述べると、第１のカメラ５１は、回路基板５０のなかで、第１の端部１１と第２の端部１２との間の中央部に対して第２の端部１２側に偏心して配置されている。
【００３７】
さらに言えば、例えば「中央部」を一回り広くした概念を「中央領域」とすると、第１のカメラ５１は、第１の端部１１と第２の端部１２との間の中央領域に配置されるが、その中央領域のなかで当該中央領域の中心に対して第２の端部１２側にずれた位置に配置されている。すなわち、第１のカメラ５１は、第１の端部１１と第２の端部１２との間の中央部に対して大きく偏心しているわけではなく、上記中央部に対して僅かに偏心している。第１のカメラ５１は、第２の端部１２よりも、第１の端部１１と第２の端部１２との間を通る中心線ＣＬの近くに配置されている。
【００３８】
マイク２９及びＬＥＤ３０は、回路基板５０のなかで、第１の端部１１と第２の端部１２との間の中央部に対して第１の端部１１側に偏心して位置される。すなわち、マイク２９及びＬＥＤ３０は、第１のカメラ５１とは反対側に偏心している。マイク２９及びＬＥＤ３０と、第１のカメラ５１との間に筐体５の中心線ＣＬが通る。
【００３９】
以上を換言すれば、電子機器１の第３の端部１３に、２つのカメラ５１，５４と、マイク２９と、ＬＥＤ３０とを含むカメラ部６６が設けられている。カメラ部６６は、電子機器１の第１の端部１１と第２の端部１２との間の略中央部に設けられている。第２のカメラ５４は、カメラ部６６の中央部に設けられている。第１のカメラ５１は、カメラ部６６のなかで、カメラ部６６の中央部に対して第２の端部１２側に偏心して位置される。本実施形態のカメラ部６６、他の領域と異なる色または模様の加飾部材６７が取り付けられ、ユーザーに対してカメラが存在する領域が明示されている。
【００４０】
図８及び図９は、中心線ＣＬに沿う筐体５の断面図である。なお図８では、説明の便宜上、回路基板５０を省略している。図８及び図９に示すように、筐体５の端部には、円弧状の周面１８と、フロント面１６とによって囲まれた扇形部６９が形成されている。第１のカメラ５１は、扇形部６９に設けられ、フロント面１６と周面１８との間に配置されている。
【００４１】
一方で、第２のカメラ５４は、曲面状の周面１８を避けるように扇形部６９を外れた位置に設けられている。第２のカメラ５４は、フロント面１６とバック面１７との間に配置されている。すなわち、第１のカメラ５１よりも第２のカメラ５４は、筐体５の長手方向の中心近くに配置されている。さらに換言すれば、第２のカメラ５４は、中心線ＣＬに沿って、第１のカメラ５１に対して筐体５の長手方向の中心側に偏心して配置されている。
【００４２】
このような構成によれば、カメラの撮像位置の好適化を図ることができる。すなわち、本実施形態の電子機器１は、筐体５の端部１１に設けられたコネクタ２４と、筐体５の表示画面２１ａが露出された面１６から撮像するとともに、筐体５の中央部に対してコネクタ２４が設けられた端部１１とは反対側に偏心して位置されたカメラ５１とを備える。これによれば、筐体５の中央部よりもカメラ５１をユーザーの顔に近づけることができる。このため、ユーザーの顔をより鮮明に撮影することができる。
【００４３】
本実施形態では、電子機器１は、フロント面１６から撮像する第１のカメラ５１と、第１のカメラ５１が実装された回路基板５０と、バック面１７から撮像する第２のカメラ５４とを備える。回路基板５０及び第２のカメラ５４は、筐体５の高さ方向の略中央部に纏めて配置されている。これにより、第１のカメラ５１に関連する部品と第２のカメラ５４に関連する部品とを互いに近くに配置することができ、高密度実装を図ることができる。
【００４４】
そして本実施形態では、上記高密度実装を図ると同時に、第１のカメラ５１を筐体５の高さ方向の中央よりも上側に配置することで、第１のカメラ５１をユーザーの顔に近づけ、第１のカメラ５１の撮影性の向上を図ったものである。また第１のカメラ５１と第２のカメラ５４とが筐体５の表裏の互いに近い位置に配置されていると、その領域をカメラ部６６としてユーザーが認識しやすく、使い勝手が良くなる。
【００４５】
換言すれば、電子機器１は、デザイン性を高めるために、部品の配置にもデザイン上の種々の制約が加えられている。そのため電子機器１は、２つのカメラ５１，５４、マイク２９、及びＬＥＤ３０が１箇所に纏められ、筐体５の短手方向の中央部にカメラ部６６として実装されている。このような短手方向の中央部にカメラ部６６が実装されていると、例えば電子機器１が縦長に持って使用されるときでも、カメラ部６６が筐体５の左右方向の中央部に位置するので使い勝手がよい。
【００４６】
そして本実施形態では、上記のような理由でカメラ部６６が設けられた電子機器１において、そのカメラ部６６のなかで、第１のカメラ５１を当該カメラ部６６の中央部よりも第２端部１２側に偏心して配置されたものである。これにより、デザイン性及び使い勝手を高めるとともに、さらに電子機器１がドック２に保持されたときに第１のカメラ５１をユーザーに近づけることができ、第１のカメラ５１の撮影性をより高めることができる。
【００４７】
本実施形態では、フロント面１６から拾音するマイク２９、及び第１のカメラ５１の動作状況を示すＬＥＤ３０が設けられている。マイク２９及びＬＥＤ３０は、回路基板５０のなかで、筐体５の高さ方向の中央部よりも下側に設けられている。つまり、筐体５の高さ方向の中央部に対して、第１のカメラ５１と、マイク２９及びＬＥＤ３０とが上下に分かれて配置され、見た目のバランスが良い。これは電子機器１のデザイン性の向上に寄与する。
【００４８】
なおＬＥＤ３０は、第１のカメラ５１の動作状態を表示するものに限らず、例えば被写体の照明用に発光されるものでもよい。ＬＥＤ３０が被写体（例えばユーザー）を明るく照らすことで、第１のカメラ５１の撮影性がより向上する。
【００４９】
本実施形態では、第２のカメラ５４は、フレキシブルプリント回路板５５で回路基板５０に接続されている。これによれば、第２のカメラ５４は、第１のカメラ５１を制御する回路基板５０が兼用されて制御されるので、第２のカメラ５４用に独立した回路基板を設ける必要がなくなる。これは電子機器１の薄型化及び高密度実装に寄与する。
【００５０】
本実施形態では、バック面１７は、フロント面１６に比べて小さく、筐体５は、フロント面１６の周縁部とバック面１７の周縁部との間を繋ぐ曲面状の周面１８を有する。これは電子機器１のデザイン性を向上させる。本実施形態では、第１のカメラ５１は、フロント面１６と周面１８の間に形成された扇形状のスペースに配置される。これにより、第１のカメラ５１を筐体５の縁部の近くに配置することができ、筐体５内のスペースを有効に活用することができる。
【００５１】
本実施形態では、第２のカメラ５４は、フロント面１６とバック面１７との間に配置されている。これにより、曲面状の周面１８を避けて２つのカメラ５１，５４を実装することができる。
【００５２】
本実施形態では、第２のカメラ５４は、第１のカメラ５１よりも大型である。すなわち、比較的小型の第１のカメラ５１を、曲面状の周面１８が存在して実装スペースが限られた筐体５の縁部近くに配置するとともに、比較的大型の第２のカメラ５４が第１のカメラ５１に対して筐体５の中心側にずらされて配置されている。これにより第２のカメラ５４を筐体５の比較的厚い部分で収容することができる。換言すれば、第２のカメラ５４の大きさにあまり影響されずに、筐体５の薄型化を図ることができる。
【００５３】
本実施形態では、第１のカメラ５１、回路基板５０、及び第２のカメラ５４は、筐体５の第３の端部１３に収容されている。これによれば、残りの３つの端部１２，１３，１４のスペースをカメラ以外のモジュールを実装することに用いることができ、電子機器１の高密度実装をより図ることができる。
【００５４】
本実施形態では、複数のコネクタ３６，３７，３８，３９，４０が筐体５の第４の端部１４に配置されている。これにより、第４の端部１４は、平面視においてカメラモジュール２８を実装する十分なスペースがない。換言すれば、本実施形態は、第１のカメラ５１、回路基板５０、及び第２のカメラ５４を筐体５の第３の端部１３に集中して実装することで、第４の端部１４にコネクタ３６，３７，３８，３９，４０を実装するためのスペースを確保されている。第４の端部１４は、例えば筐体５の右端部であり、例えば右利きのユーザーにとって筐体５の右端部へのケーブルの装着は作業が容易になる。
【００５５】
本実施形態では、複数のアンテナ３１，３２，３３が筐体５の第２の端部１２に配置されている。これにより、第２の端部１２は、平面視においてカメラモジュール２８を実装する十分なスペースがない。換言すれば、本実施形態では、第１のカメラ５１、回路基板５０、及び第２のカメラ５４を筐体５の第３の端部１３に集中して実装することで、第２の端部１２にアンテナ３１，３２，３３を実装するためのスペースが確保されている。第２の端部１２は、例えば筐体５の上端部である。筐体５の上端部にアンテナ３１，３２，３３が配置されると、アンテナの受信感度が向上しやすい。
【００５６】
本実施形態では、筐体５の長手方向に延びた端部１１，１２が略水平になる姿勢で筐体５はドック２に保持される。これによれば、筐体５の長手方向が略水平になる状態で筐体５がドック２に搭載されるので、ドック２の上で筐体５が安定しやすい。
【００５７】
（第２実施形態）  
次に、第２実施形態に係る電子機器１について、図１０乃至図１１を参照して説明する。なお上記第１実施形態の構成と同一または類似の機能を有する構成は、同一の符号を付してその説明を省略する。また、下記に説明する以外の構成は、上記第１の実施形態と同じである。
【００５８】
図１０及び図１１に示すように、本実施形態のカメラモジュール２８は、第１の回路基板５０（第１のカメラ基板）、第１のカメラ５１、第２の回路基板７１（第２のカメラ基板）、及び第２のカメラ５４を有する。すなわち、２つのカメラ５１，５４は、２つの回路基板５０，７１に別々に実装されている。
【００５９】
第１の回路基板５０は、第１の面５０ａと、この第１の面５０ａとは反対側に位置された第２の面５０ｂとを有する。第１の面５０ａは、筐体５のフロント面１６の内面に向かい合う。第１の面５０ａには、第１のカメラ５１と、マイク２９と、ＬＥＤ３０とが実装されている。
【００６０】
第２の回路基板７１は、第１の面７１ａと、この第１の面７１ａとは反対側に位置された第２の面７１ｂとを有する。第２の面７１ｂは、表示装置２１に向かい合う。第１の面７１ａは、筐体５のバック面１７の内面に向かい合う。第１の面７１ａには、第２のカメラ５４が実装されている。
【００６１】
図１０に示すように、第１の回路基板５０、第２の回路基板７１、及び第２のカメラ５４は、筐体５の第１の端部１１と第２の端部１２との間の略中央部に配置されている。すなわち、第１の回路基板５０、第２の回路基板７１、及び第２のカメラ５４は、筐体５がドック２に保持されたとき、筐体５の高さ方向の略中央部に配置されている。
【００６２】
一方で、第１のカメラ５１、マイク２９、及びＬＥＤ３０は、筐体５の第１の端部１１と第２の端部１２との間の中央部に対して偏心して位置されている。第１のカメラ５１は、筐体５の中央部に対してドッキングコネクタ２４が設けられた第１の端部１１とは反対側に偏心して位置される。詳しく述べると、第１のカメラ５１は、第１の回路基板５０のなかで、第１の端部１１と第２の端部１２との間の中央部に対して第２の端部１２側に偏心して位置される。
【００６３】
マイク２９及びＬＥＤ３０は、第１の回路基板５０のなかで、第１の端部１１と第２の端部１２との間の中央部に対して第１の端部１１側に偏心して位置される。すなわち、マイク２９及びＬＥＤ３０と、第１のカメラ５１との間に筐体５の中心線ＣＬが通る。
【００６４】
図１１は、中心線ＣＬに沿う筐体５の断面図である。図１１に示すように、第１のカメラ５１は、扇形部６９に設けられ、フロント面１６と周面１８との間に配置されている。第２のカメラ５４は、扇形部６９を外れた位置に配置されている。すなわち、第２のカメラ５４は、フロント面１６とバック面１７との間に配置されている。第２のカメラ５４は、曲面状の周面１８を避けた位置に設けられている。第２のカメラ５４は、筐体５のバック面１７と表示装置２１との間に配置されている。
【００６５】
このような構成によれば、第１の実施形態と同様に、カメラの撮像位置の好適化を図ることができる。
【００６６】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００６７】
例えば第１実施形態において、第２のカメラ５４は、筐体５のバック面１７と表示装置２１との間に配置されてもよい。第２実施形態において、第２のカメラ５４は、表示装置２１と重ならない領域に配置されてもよい。
【００６８】
マイク２９やＬＥＤ３０の実装位置は、上記実施形態に限定されるものではない。マイク２９やＬＥＤ３０は、筐体５の中央部に対して第１のカメラ５１と同じ側に偏心して配置されてもよい。なおマイク２９やＬＥＤ３０は、適宜省略可能である。
【００６９】
第２のカメラ５４は、フロント面１６と周面１８との間の扇形部６９に配置されてもよい。第１のカメラ５１及び第２のカメラ５４は、筐体５の右端部となる第４の端部１４に設けてもよい。アンテナ３１，３２，３３，３４，３５やコネクタ３６，３７，３８，３９，４０は、必ずしも必須の部品ではない。
【００７０】
電子機器１は、筐体５の長手方向を起立させた姿勢でドック２に保持されるものでもよい。この場合、第１のカメラ５１及び第２のカメラ５４は、筐体５の第１の端部１１または第２の端部１２に設けてもよい。
【符号の説明】
【００７１】
１…電子機器、２…ドック、５…筐体、１１…第１の端部、１２…第２の端部、１３…第３の端部、１４…第４の端部、１６…フロント面、１７…バック面、１８…周面、２１…表示装置、２１ａ…表示画面、２４…ドッキングコネクタ、３１，３２，３３，３４，３５…アンテナ、３６，３７，３８，３９，４０…コネクタ、５０…回路基板、５１…第１のカメラ、５４…第２のカメラ、５５…フレキシブルプリント回路板。
【図１】
2012138714.tif 000003
【図２】
2012138714.tif 000004
【図３】
2012138714.tif 000005
【図４】
2012138714.tif 000006
【図５】
2012138714.tif 000007
【図６】
2012138714.tif 000008
【図７】
2012138714.tif 000009
【図８】
2012138714.tif 000010
【図９】
2012138714.tif 000011
【図１０】
2012138714.tif 000012
【図１１】
2012138714.tif 000013
【手続補正書】
【提出日】平成24年1月30日(2012.1.30)
【手続補正１】
【補正対象書類名】明細書
【補正対象項目名】０００６
【補正方法】変更
【補正の内容】
【０００６】
実施形態によれば、電子機器は、表示画面を有した表示装置と、前記表示装置が収容された筐体と、バッテリと、第１コネクタと、カメラと、第２コネクタとを備える。前記筐体は、前記表示画面が露出された面と、長手方向に延びた第１の端部と、この第１の端部とは反対側に位置された第２の端部と、前記第１の端部に対して交差する方向で短手方向に延びた第３の端部と、この第３の端部とは反対側に位置された第４の端部とを有する。前記バッテリは、前記表示画面の反対側で前記表示装置と重なるとともに前記筐体内の前記第３の端部に寄った位置に設けられている。前記第１コネクタは、前記筐体の第１の端部に設けられ、該第１の端部を支持するドックに対して着脱可能である。前記カメラは、前記バッテリよりも前記筐体内の前記第３の端部に寄った位置に設けられ、前記筐体の前記表示画面が露出された面から撮像するとともに、前記筐体の中央部に対して前記第１コネクタが設けられた端部とは反対側に偏心して位置されている。前記第２コネクタは、前記筐体の前記第４の端部から露出されており、前記第１コネクタとは異なる。
【手続補正２】
【補正対象書類名】明細書
【補正対象項目名】００７０
【補正方法】変更
【補正の内容】
【００７０】
電子機器１は、筐体５の長手方向を起立させた姿勢でドック２に保持されるものでもよい。この場合、第１のカメラ５１及び第２のカメラ５４は、筐体５の第１の端部１１または第２の端部１２に設けてもよい。
以下に、出願当初の特許請求の範囲に記載の電子機器を付記する。
［１］(i)表示画面を有した表示装置と、(ii)前記表示装置が収容され、前記表示画面が露出された第１の面と、この第１の面とは反対側に位置された第２の面と、ドックに着脱自在に保持される第１の端部と、この第１の端部とは反対側に位置された第２の端部とを有した筐体と、(iii)前記筐体の第１の端部に設けられたドッキングコネクタと、(iv)前記筐体に収容され、前記第１の面から撮像する第１のカメラと、(v)前記第１のカメラが実装された回路基板と、(vi)前記筐体に収容され、前記第２の面から撮像する第２のカメラと、を備え、前記回路基板及び前記第２のカメラは、前記筐体の前記第１の端部と前記第２の端部との間の略中央部に配置され、前記第１のカメラは、前記回路基板のなかで、前記筐体の前記第１の端部と前記第２の端部との間の中央部に対して前記第２の端部側に偏心して配置された電子機器。
［２］、［１］の記載において、前記回路基板に実装され、前記第１の面から拾音するマイクを備え、前記マイクは、前記回路基板のなかで、前記筐体の前記第１の端部と前記第２の端部との間の中央部に対して前記第１の端部側に偏心して配置された電子機器。
［３］、［１］または［２］の記載において、前記第２のカメラは、フレキシブルプリント回路板で前記回路基板に接続された電子機器。
［４］、［１］または［３］の記載において、前記第２の面は、前記第１の面に比べて小さく、前記筐体は、前記第１の面の周縁部と前記第２の面の周縁部との間を繋ぐ曲面状の第３の面を有し、前記第１のカメラは、前記第１の面と前記第３の面との間に配置され、前記第２のカメラは、前記第３の面を避けて、前記第１の面と前記第２の面との間に配置された電子機器。
［５］、［４］の記載において、前記第２のカメラは、前記第１のカメラよりも大型である電子機器。
［６］、［１］または［５］の記載において、
前記筐体は、前記第１の端部とは交差する方向に延びて、前記第１の端部と前記第２の端部との間を繋ぐ第３の端部を有し、前記第１のカメラ、前記回路基板、及び前記第２のカメラは、前記第３の端部に収容された電子機器。
［７］、［６］の記載において、前記筐体に収容された複数のコネクタを備え、前記筐体は、前記第３の端部とは反対側に位置された第４の端部を有し、前記複数のコネクタは、前記第４の端部に収容された電子機器。
［８］、［６］または［７］の記載において、前記第２の端部に収容された複数のアンテナを備え、前記第２の端部は、前記筐体が前記ドックに保持されたとき、前記筐体の上端部となる電子機器。
［９］、［６］または［８］の記載において、前記第１の端部及び前記第２の端部は、前記筐体の長手方向に延びた端部であり、この第１の端部及び前記第２の端部が略水平になる姿勢で前記筐体は前記ドックに保持される電子機器。
［１０］(i)表示画面を有した表示装置と、(ii)前記表示装置が収容され、前記表示画面が露出された面を有した筐体と、(iii)前記筐体の端部に設けられ、前記筐体の外部に露出されたコネクタと、(iv)前記筐体に収容され、前記筐体の前記表示画面が露出された面から撮像するとともに、前記筐体の中央部に対して前記コネクタが設けられた端部とは反対側に偏心して位置されたカメラと、を備えた電子機器。
【手続補正３】
【補正対象書類名】特許請求の範囲
【補正対象項目名】全文
【補正方法】変更
【補正の内容】
【特許請求の範囲】
【請求項１】
表示画面を有した表示装置と、
前記表示装置が収容され、前記表示画面が露出された第１の面と、この第１の面とは反対側に位置された第２の面と、長手方向に延びた第１の端部と、この第１の端部とは反対側に位置された第２の端部と、前記第１の端部に対して交差する方向で短手方向に延びた第３の端部と、この第３の端部とは反対側に位置された第４の端部と、を有した筐体と、
前記表示画面の反対側で前記表示装置と重なるとともに前記筐体内の前記第３の端部に寄った位置に設けられたバッテリと、
前記筐体の第１の端部に設けられ、該第１の端部を支持するドックに対して着脱可能なドッキングコネクタと、
前記バッテリよりも前記筐体内の前記第３の端部に寄った位置に設けられ、前記第１の面から撮像する第１のカメラと、
前記バッテリよりも前記筐体内の前記第３の端部に寄った位置に設けられ、前記第１のカメラが実装された回路基板と、
前記バッテリよりも前記筐体内の前記第３の端部に寄った位置に設けられ、前記第２の面から撮像する第２のカメラと、
前記筐体の前記第４の端部から露出された、前記ドッキングコネクタとは異なる他のコネクタと、
を備え、
前記回路基板及び前記第２のカメラは、前記筐体の前記第１の端部と前記第２の端部との間の略中央部に配置され、前記第１のカメラは、前記回路基板のなかで、前記筐体の前記第１の端部と前記第２の端部との間の中央部に対して前記第２の端部側に偏心して配置された電子機器。
【請求項２】
請求項１の記載において、
前記回路基板に実装され、前記第１の面から拾音するマイクを備え、
前記マイクは、前記回路基板のなかで、前記筐体の前記第１の端部と前記第２の端部との間の中央部に対して前記第１の端部側に偏心して配置された電子機器。
【請求項３】
請求項１または請求項２の記載において、
前記第２のカメラは、フレキシブルプリント回路板で前記回路基板に接続された電子機器。
【請求項４】
請求項１または請求項３の記載において、
前記第２の面は、前記第１の面に比べて小さく、前記筐体は、前記第１の面の周縁部と前記第２の面の周縁部との間を繋ぐ曲面状の第３の面を有し、
前記第１のカメラは、前記第１の面と前記第３の面との間に配置され、前記第２のカメラは、前記第３の面を避けて、前記第１の面と前記第２の面との間に配置された電子機器。
【請求項５】
請求項４の記載において、
前記第２のカメラは、前記第１のカメラよりも大型である電子機器。
【請求項６】
請求項１または請求項５の記載において、
前記他のコネクタは、前記第４の端部に複数設けられた電子機器。
【請求項７】
請求項１または請求項６の記載において、
前記第２の端部に収容された複数のアンテナを備え、
前記第２の端部は、前記筐体が前記ドックに保持されたとき、前記筐体の上端部となる電子機器。
【請求項８】
表示画面を有した表示装置と、
前記表示装置が収容され、前記表示画面が露出された面と、長手方向に延びた第１の端部と、この第１の端部とは反対側に位置された第２の端部と、前記第１の端部に対して交差する方向で短手方向に延びた第３の端部と、この第３の端部とは反対側に位置された第４の端部と、を有した筐体と、
前記表示画面の反対側で前記表示装置と重なるとともに前記筐体内の前記第３の端部に寄った位置に設けられたバッテリと、
前記筐体の第１の端部に設けられ、該第１の端部を支持するドックに対して着脱可能な第１コネクタと、
前記バッテリよりも前記筐体内の前記第３の端部に寄った位置に設けられ、前記筐体の前記表示画面が露出された面から撮像するとともに、前記筐体の中央部に対して前記第１コネクタが設けられた端部とは反対側に偏心して位置されたカメラと、
前記筐体の前記第４の端部から露出された、前記第１コネクタとは異なる第２コネクタと、
を備えた電子機器。